【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
撮像エリアを撮像するカメラと、
前記撮像エリアの音声を収音するマイクアレイと、
前記カメラにより撮像された前記撮像エリアの撮像画像を表示するモニタと、
前記撮像エリアの撮像画像を構成する所定数の画素を前記撮像エリアの音パラメータ導出単位として、前記マイクアレイにより収音された音声を基に、前記撮像エリアの音の大きさを特定する音パラメータを、前記撮像エリアの音パラメータ導出単位毎に導出する音パラメータ導出部と、
前記音パラメータ導出部により導出された前記音パラメータと音の大きさに関する複数の閾値との比較に応じて、前記音パラメータを異なる視覚画像に段階的に変換した音源視覚画像を、前記撮像エリアの音パラメータ導出単位毎に重畳して前記モニタに表示する信号処理部と、を備え、
前記音パラメータ導出部は、前記音源視覚画像が重畳された前記撮像エリアの撮像画像の中で一部の矩形範囲が指定されると、前記撮像エリアの音パラメータ導出単位を前記撮像エリアの撮像画像と前記矩形範囲とのサイズ比で除した値毎に、前記矩形範囲の音パラメータを導出する、
モニタリングシステム。
【請求項２】
撮像エリアを撮像するカメラと、
前記撮像エリアの音声を収音するマイクアレイと、
前記カメラにより撮像された前記撮像エリアの撮像画像を表示するモニタと、
前記撮像エリアの撮像画像を構成する所定数の画素を前記撮像エリアの音パラメータ導出単位として、前記マイクアレイにより収音された音声を基に、前記撮像エリアの音の大きさを特定する音パラメータを、前記撮像エリアの音パラメータ導出単位毎に導出する音パラメータ導出部と、
音の大きさを段階的に規定する複数の閾値の各閾値と、前記各閾値との比較に応じて前記音パラメータが異なる視覚画像に段階的に変換される音源視覚画像との対応関係の設定を、前記撮像エリアの撮像画像に応じて変更する閾値調整部と、
前記音パラメータ導出部により導出された前記音パラメータと前記閾値調整部により変更された前記対応関係とを基に、前記撮像エリアの音パラメータ導出単位毎に、前記音パラメータに対応する前記音源視覚画像を前記撮像エリアの撮像画像に重畳して前記モニタに表示する信号処理部と、を備える、
モニタリングシステム。
【請求項３】
請求項２に記載のモニタリングシステムであって、
前記閾値調整部は、前記撮像エリアの音パラメータ導出単位毎の前記音パラメータの出現頻度を基に、前記音源視覚画像を規定する前記各閾値の幅を変更する、
モニタリングシステム。
【請求項４】
請求項２に記載のモニタリングシステムであって、
前記閾値調整部は、前記音パラメータの上限値に対応する音源視覚画像の使用を規定する閾値間の幅の変更操作に応じて、前記幅が変更された後の閾値間の幅を除く他の全ての閾値間の幅を均等に変更する、
モニタリングシステム。
【請求項５】
請求項２に記載のモニタリングシステムであって、
前記閾値調整部は、前記音パラメータの下限値に対応する音源視覚画像の使用を規定する閾値間の幅の変更操作に応じて、前記幅が変更された後の閾値間の幅を除く他の全ての閾値間の幅を均等に変更する、
モニタリングシステム。
【請求項６】
請求項２に記載のモニタリングシステムであって、
前記閾値調整部は、前記音パラメータの上限値に対応する音源視覚画像の使用を規定する閾値間の幅と前記音パラメータの下限値に対応する音源視覚画像の使用を規定する閾値間の幅との変更操作に応じて、前記幅が変更された後の上端閾値間及び下端閾値間の幅を除く他の全ての閾値間の幅を均等に変更する、
モニタリングシステム。
【請求項７】
カメラとマイクアレイとを有するモニタリングシステムにおけるモニタリング方法であって、
前記カメラにより、撮像エリアを撮像し、
前記マイクアレイにより、前記撮像エリアの音声を収音し、
前記カメラにより撮像された前記撮像エリアの撮像画像をモニタに表示し、
前記撮像エリアの撮像画像を構成する所定数の画素を前記撮像エリアの音パラメータ導出単位として、前記マイクアレイにより収音された音声を基に、前記撮像エリアの音の大きさを特定する音パラメータを、前記撮像エリアの音パラメータ導出単位毎に導出し、
導出された前記音パラメータと音の大きさに関する複数の閾値との比較に応じて、前記音パラメータを異なる視覚画像に段階的に変換した音源視覚画像を、前記撮像エリアの音パラメータ導出単位毎に重畳して前記モニタに表示することを特徴とし、
さらに、前記音源視覚画像が重畳された前記撮像エリアの撮像画像の中で一部の矩形範囲が指定されると、前記撮像エリアの音パラメータ導出単位を前記撮像エリアの撮像画像と前記矩形範囲とのサイズ比で除した値毎に、前記矩形範囲の音パラメータを導出する、
モニタリング方法。
【請求項８】
カメラとマイクアレイとを有するモニタリングシステムにおけるモニタリング方法であって、
前記カメラにより、撮像エリアを撮像し、
前記マイクアレイにより、前記撮像エリアの音声を収音し、
前記カメラにより撮像された前記撮像エリアの撮像画像をモニタに表示し、
前記撮像エリアの撮像画像を構成する所定数の画素を前記撮像エリアの音パラメータ導出単位として、前記マイクアレイにより収音された音声を基に、前記撮像エリアの音の大きさを特定する音パラメータを、前記撮像エリアの音パラメータ導出単位毎に導出し、
音の大きさを段階的に規定する複数の閾値の各閾値と、前記各閾値との比較に応じて前記音パラメータが異なる視覚画像に段階的に変換される音源視覚画像との対応関係の設定を、前記撮像エリアの撮像画像に応じて変更し、
導出された前記音パラメータと変更された前記対応関係とを基に、前記撮像エリアの音パラメータ導出単位毎に、前記音パラメータに対応する前記音源視覚画像を前記撮像エリアの撮像画像に重畳して前記モニタに表示する、
モニタリング方法。
【手続補正２】
【補正対象書類名】明細書
【補正対象項目名】０００７
【補正方法】変更
【補正の内容】
【０００７】
本発明は、撮像エリアを撮像するカメラと、前記撮像エリアの音声を収音するマイクアレイと、前記カメラにより撮像された前記撮像エリアの撮像画像を表示するモニタと、前記撮像エリアの撮像画像を構成する所定数の画素を前記撮像エリアの音パラメータ導出単位として、前記マイクアレイにより収音された音声を基に、前記撮像エリアの音の大きさを特定する音パラメータを、前記撮像エリアの音パラメータ導出単位毎に導出する音パラメータ導出部と、前記音パラメータ導出部により導出された前記音パラメータと音の大きさに関する複数の閾値との比較に応じて、前記音パラメータを異なる視覚画像に段階的に変換した音源視覚画像を、前記撮像エリアの音パラメータ導出単位毎に重畳して前記モニタに表示する信号処理部と、を備え、前記音パラメータ導出部は、前記音源視覚画像が重畳された前記撮像エリアの撮像画像の中で一部の矩形範囲が指定されると、前記撮像エリアの音パラメータ導出単位を前記撮像エリアの撮像画像と前記矩形範囲とのサイズ比で除した値毎に、前記矩形範囲の音パラメータを導出する、モニタリングシステムを提供する。
【手続補正３】
【補正対象書類名】明細書
【補正対象項目名】０００８
【補正方法】変更
【補正の内容】
【０００８】
また、本発明は、撮像エリアを撮像するカメラと、前記撮像エリアの音声を収音するマイクアレイと、前記カメラにより撮像された前記撮像エリアの撮像画像を表示するモニタと、前記撮像エリアの撮像画像を構成する所定数の画素を前記撮像エリアの音パラメータ導出単位として、前記マイクアレイにより収音された音声を基に、前記撮像エリアの音の大きさを特定する音パラメータを、前記撮像エリアの音パラメータ導出単位毎に導出する音パラメータ導出部と、音の大きさを段階的に規定する複数の閾値の各閾値と、前記各閾値との比較に応じて前記音パラメータが異なる視覚画像に段階的に変換される音源視覚画像との対応関係の設定を、前記撮像エリアの撮像画像に応じて変更する閾値調整部と、前記音パラメータ導出部により導出された前記音パラメータと前記閾値調整部により変更された前記対応関係とを基に、前記撮像エリアの音パラメータ導出単位毎に、前記音パラメータに対応する前記音源視覚画像を前記撮像エリアの撮像画像に重畳して前記モニタに表示する信号処理部と、を備える、モニタリングシステムを提供する。
【手続補正４】
【補正対象書類名】明細書
【補正対象項目名】０００９
【補正方法】変更
【補正の内容】
【０００９】
また、本発明は、カメラとマイクアレイとを有するモニタリングシステムにおけるモニタリング方法であって、前記カメラにより、撮像エリアを撮像し、前記マイクアレイにより、前記撮像エリアの音声を収音し、前記カメラにより撮像された前記撮像エリアの撮像画像をモニタに表示し、前記撮像エリアの撮像画像を構成する所定数の画素を前記撮像エリアの音パラメータ導出単位として、前記マイクアレイにより収音された音声を基に、前記撮像エリアの音の大きさを特定する音パラメータを、前記撮像エリアの音パラメータ導出単位毎に導出し、導出された前記音パラメータと音の大きさに関する複数の閾値との比較に応じて、前記音パラメータを異なる視覚画像に段階的に変換した音源視覚画像を、前記撮像エリアの音パラメータ導出単位毎に重畳して前記モニタに表示することを特徴とし、さらに、前記音源視覚画像が重畳された前記撮像エリアの撮像画像の中で一部の矩形範囲が指定されると、前記撮像エリアの音パラメータ導出単位を前記撮像エリアの撮像画像と前記矩形範囲とのサイズ比で除した値毎に、前記矩形範囲の音パラメータを導出する、モニタリング方法を提供する。
【手続補正５】
【補正対象書類名】明細書
【補正対象項目名】００１０
【補正方法】変更
【補正の内容】
【００１０】
また、本発明は、カメラとマイクアレイとを有するモニタリングシステムにおけるモニタリング方法であって、前記カメラにより、撮像エリアを撮像し、前記マイクアレイにより、前記撮像エリアの音声を収音し、前記カメラにより撮像された前記撮像エリアの撮像画像をモニタに表示し、前記撮像エリアの撮像画像を構成する所定数の画素を前記撮像エリアの音パラメータ導出単位として、前記マイクアレイにより収音された音声を基に、前記撮像エリアの音の大きさを特定する音パラメータを、前記撮像エリアの音パラメータ導出単位毎に導出し、音の大きさを段階的に規定する複数の閾値の各閾値と、前記各閾値との比較に応じて前記音パラメータが異なる視覚画像に段階的に変換される音源視覚画像との対応関係の設定を、前記撮像エリアの撮像画像に応じて変更し、導出された前記音パラメータと変更された前記対応関係とを基に、前記撮像エリアの音パラメータ導出単位毎に、前記音パラメータに対応する前記音源視覚画像を前記撮像エリアの撮像画像に重畳して前記モニタに表示する、モニタリング方法を提供する。